(57)【要約】      （修正有）【課題】設定する情報内容が変化しても印刷と読取りが容易で表示面積の縮小化に効果がある情報表示ラベルを提供する。【解決手段】列の行方向に任意の２色以上を用い（イ）色の組合わせに種類を設定して（ロ）行数を揃えて列方向に拡張（ハ）行の色の組合わせの１種類と列の順番と合わせて項目別に情報を設定して印刷の内容とする。任意の２色を用い４行の設定では最大１６種類、任意の３色を用い３行の設定では最大２７種類、任意の４色を用い２行の設定では最大１６種類が得られる。用いる色の数が少ない方が印刷装置と読取装置の構成で優位となるが同じ行数では１列の情報数で劣る。このため表示情報の内容と全体の縮小化の必要性と印刷装置と読取装置の構成の優位性を勘案した適宜の色と行数を設定の印刷とする。【選択図】図１
2016110046.tif 000002
【特許請求の範囲】
【請求項１】
任意の２色を用い任意の寸法の行と列で区切りの升目内に（イ）１列目の３行に（ロ）色の順列組合わせの配置種類の内の１種類に１列目の順番と合わせて情報内容を設定し更に（ハ）色の３行の配置種類の内の１種類と２列目以降の各列の順番と合わせて情報内容を設定した任意の複数列の印刷でなる情報表示ラベル。
【請求項２】
任意の２色を用い任意の寸法の行と列で区切りの升目内に（イ）１列目の４行に（ロ）色の順列組合わせの配置種類の内の１種類に１列目の順番と合わせて情報内容を設定し更に（ハ）色の４行の配置種類の内の１種類と２列目以降の各列の順番と合わせて情報内容を設定した任意の複数列の印刷でなる情報表示ラベル。
【請求項３】
任意の２色を用い任意の寸法の行と列で区切りの升目内に（イ）１列目の５行に（ロ）色の順列組合わせの配置種類の内の１種類に１列目の順番と合わせて情報内容を設定し更に（ハ）色の５行の配置種類の内の１種類と２列目以降の各列の順番と合わせて情報内容を設定した任意の複数列の印刷でなる情報表示ラベル。
【請求項４】
任意の３色を用い任意の寸法の行と列で区切りの升目内に（イ）１列目の２行に（ロ）色の順列組合わせの配置種類の内の１種類に１列目の順番と合わせて情報内容を設定し更に（ハ）色の２行の配置種類の内の１種類と２列目以降の各列の順番と合わせて情報内容を設定した任意の複数列の印刷でなる情報表示ラベル。
【請求項５】
任意の３色を用い任意の寸法の行と列で区切りの升目内に（イ）１列目の３行に（ロ）色の順列組合わせの配置種類の内の１種類に１列目の順番と合わせて情報内容を設定し更に（ハ）色の３行の配置種類の内の１種類と２列目以降の各列の順番と合わせて情報内容を設定した任意の複数列の印刷でなる情報表示ラベル。
【請求項６】
任意の３色を用い任意の寸法の行と列で区切りの升目内に（イ）１列目の４行に（ロ）色の順列組合わせの配置種類の内の１種類に１列目の順番と合わせて情報内容を設定し更に（ハ）色の４行の配置種類の内の１種類と２列目以降の各列の順番と合わせて情報内容を設定した任意の複数列の印刷でなる情報表示ラベル。
【請求項７】
任意の４色を用い任意の寸法の行と列で区切りの升目内に（イ）１列目の２行に（ロ）色の順列組合わせの配置種類の内の１種類に１列目の順番と合わせて情報内容を設定し更に（ハ）色の２行の配置種類の内の１種類と２列目以降の各列の順番と合わせて情報内容を設定した任意の複数列の印刷でなる情報表示ラベル。
【請求項８】
任意の４色を用い任意の寸法の行と列で区切りの升目内に（イ）１列目の３行に（ロ）色の順列組合わせの配置種類の内の１種類に１列目の順番と合わせて情報内容を設定し更に（ハ）色の３行の配置種類の内の１種類と２列目以降の各列の順番と合わせて情報内容を設定した任意の複数列の印刷でなる情報表示ラベル。
【請求項９】
任意の５色以上９色以下の色を用い任意の寸法の行と列で区切りの升目内に（イ）１列目の２行に（ロ）色の順列組合わせの配置種類の内の１種類に１列目の順番と合わせて情報内容を設定し更に（ハ）色の２行の配置種類の内の１種類と２列目以降の各列の順番と合わせて情報内容を設定した任意の複数列の印刷でなる情報表示ラベル。
【請求項１０】
任意の１０色を用い任意の寸法の行と列で区切りの升目内に（イ）１列目の１行に使用色の内の１種類と１列目の順番と合わせて情報内容を設定し更に（ロ）使用色の内の１種類と２列目以降の各列の順番と合わせて情報内容を設定した任意の複数列の印刷でなる情報表示ラベル。
【発明の詳細な説明】
【技術分野】
【０００１】本発明は、製品の種類区分や製造場所や製造年月日のような項目別の情報を表示した光学式読取装置に対応するラベル（Ｌａｂｅｌ）の印刷内容に係る技術である。
【背景技術】
【０００２】従来技術には、白色と黒色の２色を用い線状の幅寸法に各々２種類以上を設定し幅寸法の組合わせの内の１組と列方向に配置の順番と合わせて情報内容を表示の複数列で印刷の情報表示ラベルがある。
この技術では、（イ）１組に２列以上を必要とし表示情報の項目数を多く設定では全体の表示幅寸法が大きくなる（ロ）１組の幅寸法が組合わせの種類で変化するため中間列に空列を設け固定情報分を先行印刷し変動情報を確定後に追加印刷する対応ができない（ハ）情報読取装置が直線上の幅寸法の識別を必要とするため全体から外れると識別不能となる。このため線の長さ寸法は大きい方が情報読取装置の操作に有利で、更に幅寸法の印刷精度が必要であり全体の縮小化を疎外する問題点を有している。用いる色に白色と黒色以外を用いても問題点の解決にならない。【０００３】従来技術には、碁盤目状の多数の升目に白色と黒色の２色を用いて配置し模様の１種類に情報内容を設定して印刷の情報表示ラベルがある。
この技術では模様の１種類に必要とする項目別の情報内容の全ての設定が必要となり（イ）情報内容の一部の変化でも他の種類の模様の割当てとなり多くの模様数を必要とす（ロ）模様の種類の使用数の全てを印刷装置と情報読取装置に必要とする問題点を有している。用いる色に白色と黒色以外を用いても問題点の解決にならない。
【発明の概要】
【発明が解決しようとする課題】
【０００４】本発明は、前記の問題点に鑑みてなされたもので設定する情報内容の変化でも印刷と読取りが容易で表示面積の縮小化に効果がある情報表示ラベルを提供する印刷内容の技術である。
【課題を解決するための手段】
【０００５】任意の２色以上を用い、行と列で区切りの升目内に使用色と行数を設定して色の組合わせの１種類を行方向に配置し更に行数を合わせて列方向に並べて組合わせの１種類と列の順番と合わせて任意の列数で情報内容を設定して印刷する技術である。【０００６】１列の使用の色数と配置の行数との順列組合わせで得られる組合わせの種類数の関係を表１に示す。用いる色の数が同じでは行数が多い方が組合わせの種類数が多く得られて優位となるが印刷装置と読取装置の構成が複雑化で劣る。用いる色の数では多い方が少ない行数で多くの組合わせの種類数が得られて優位となるが印刷装置と読取装置が複雑化で劣る。このため色の使用数と行数の設定は各表示項目の必要とする情報数と印刷面積の縮小化の必要性と印刷装置と読取装置の構成の程度を勘案した適宜とする。【０００７】
【表１】
2016110046.tif 000003
【０００８】使用の色数を任意の１０色とし１行に１種類の色と列の順番と合わせて情報を設定し任意の複数列の印刷では０と９種類の１桁数字の組合わせの表示が得られる同列数の印刷で最も表示面積を縮小できる。
【発明の効果】
【０００９】従来技術との比較で（イ）製造年月日の月の１０〜１２月のように１桁数字の使用では２列必要に対して１６種類以上となる行数の設定では１列で対応できる（ロ）列の幅寸法を同じにできるため複数列の中間に空列を設けて後から追加印刷ができる（ハ）配置模様の識別は列に使用の種類数に削減できる（ニ）２色で４行と３色で３行と４色以上で２行では１６種類以上の色の配置の組合わせが得られ６種類以上の２桁数字情報を１列で表示できる（ホ）列方向の拡張において複数列で区分して第１群の行方向に第２群以下の移動が可能で全体を方形状に構成でき列方向の寸法を小さくできる（ヘ）列方向の拡張を行方向に移動ができ直線上の配置で円筒や曲線を有する対象物への印刷が有利（ト）用いる色の種類を変えることで印刷面積を変えずに表示の種類数の増加が可能（チ）升目内の色の印刷は読取装置が升目内の色の有無と色の識別が可能の限界まで小さくでき究極では点でも可能となり超小型ラベルが得られる（リ）印刷技術で射出印刷の適用では色を変化させても塗料の変更で対応でき印刷装置の複雑化にならない効果がある。
【図面の簡単な説明】
【００１０】
【図１】本発明による２色を用い４行に設定の実施例の印刷の色の配置図である。
【図２】本発明による４色を用い２行に設定で２群に分けて行方向に移動で実施例の印刷の色の配置図である。
【発明を実施するための形態】
【００１１】以下、本発明の実施の形態について説明する。
表２に行と列を入れ替えて白色と黒色の２色を用い４列に設定の組合わせの種類の区分と色の配置を示す。管理用に設定のアラビア数字と英字は情報内容の設定に合わせた印刷内容の設定の仲立ちに使用するものである。表３に行と列を入れ替えて赤色と緑色と青色と白色の４色を用い２列に設定の組合わせの種類の区分と色の配置を示す。用いる色の数と設定の列数で得られる色の組合わせの配置は表２と表３の参照で容易に作成可能のため他の表は省略する。
【００１２】
【表２】
2016110046.tif 000004
【００１３】
【表３】
2016110046.tif 000005
【００１４】本発明の技術によるラベルの印刷内容の実施例を図１と図２に示す。図に示す印刷内容と表示情報内容との関係を図１では表２と表４、図２では表３と表４に示す。図２では列を第１群と第２群に分け第１群の行方向に第２群を移動させて全体を方形状で印刷の例で示す。
印刷は製品や梱包箱の一部に直接でも本発明の効果は変わらない。
【００１５】
【表４】
2016110046.tif 000006
【符号の説明】
【００１６】１    ラベルまたは枠線
２    行列の区分線
３    升目と印刷の色（色の種類は升目内に表示）
【図１】
2016110046.tif 000007
【図２】
2016110046.tif 000008